(57)【要約】【課題】本発明は、本体フレームに対してＬＥＤヘッドを長手方向において位置決めすることができる画像形成装置を提供することを目的とする。【解決手段】画像形成装置は、感光体（感光ドラム５３）と、前記感光体に対向配置され、複数の発光部が配列されて前記感光体を露光する露光部材（ＬＥＤユニット４０）と、前記発光部が配列された配列方向において前記露光部材の両側に配置された本体フレーム（サイドフレーム１５Ａ）とを備えている。そして、前記本体フレームには、前記露光部材の長手方向における一端部と当接して前記露光部材の長手方向における位置決めを行う基準部（突当部１６１Ｂ）が設けられるとともに、前記露光部材には、前記露光部材の一端部を前記基準部に引き寄せるように押圧する押圧部材（板ばね１００）が設けられている。【選択図】図５
2011016364.tif 000002
【特許請求の範囲】
【請求項１】
感光ドラムと、前記感光ドラムに対向配置され、長手方向に複数の発光部が配列されて前記感光ドラムを露光する露光部材と、前記露光部材の長手方向両側に配置された本体フレームとを備えた画像形成装置であって、
前記本体フレームには、前記露光部材の長手方向における一端部と当接して前記露光部材の長手方向における位置決めを行う基準部が設けられるとともに、
前記本体フレームまたは前記露光部材には、前記露光部材の一端部を前記基準部に引き寄せるように押圧する押圧部材が設けられていることを特徴とする画像形成装置。
【請求項２】
前記押圧部材は、前記露光部材の一端部に設けられ、前記露光部材の一端部との間で前記基準部を挟み込むように構成されていることを特徴とする請求項１に記載の画像形成装置。
【請求項３】
前記押圧部材は、前記本体フレームに設けられ、前記基準部との間で前記露光部材の一端部を挟み込むように構成されていることを特徴とする請求項１に記載の画像形成装置。
【請求項４】
前記押圧部材は、弾性を有することを特徴とする請求項２または請求項３に記載の画像形成装置。
【請求項５】
前記露光部材は、露光位置と退避位置との間を移動可能に構成され、
前記押圧部材は、前記露光部材の露光位置への移動に伴って前記基準部に向かって移動することで、前記露光部材の一端部を前記基準部に押圧するように構成されていることを特徴とする請求項２または請求項３に記載の画像形成装置。
【請求項６】
前記露光部材の一端部と前記基準部とが当接した状態において、前記露光部材の他端部と前記本体フレームとの間に隙間が形成されていることを特徴とする請求項１〜請求項５のいずれか１項に記載の画像形成装置。
【請求項７】
前記露光部材を前記感光ドラムへ向けて付勢する第１付勢部材をさらに備え、
前記露光部材は、前記第１付勢部材の付勢によって前記感光ドラムと当接する当接部を備えるとともに、前記基準部に対して摺動可能に構成されていることを特徴とする請求項１〜請求項６のいずれか１項に記載の画像形成装置。
【請求項８】
前記本体フレームおよび前記押圧部材は、導電性を有し、
前記露光部材は、前記発光部を有する露光部材本体と、前記露光部材本体を支持するとともに前記押圧部材と接する導電性の保持部材と、を備えていることを特徴とする請求項１〜請求項７のいずれか１項に記載の画像形成装置。
【請求項９】
前記保持部材の前記長手方向において前記押圧部材とは反対側に位置する部位と前記本体フレームとの間には、前記露光部材を前記感光ドラムから離れる方向へ付勢する導電性の第２付勢部材が設けられていることを特徴とする請求項１〜請求項８のいずれか１項に記載の画像形成装置。
【発明の詳細な説明】
【技術分野】
【０００１】
本発明は、複数のＬＥＤ（発光ダイオード）を有するＬＥＤヘッドで露光を行う画像形成装置に関する。
【背景技術】
【０００２】
一般に、画像形成装置は、帯電された感光ドラムに光を照射して感光ドラム上に静電潜像を形成し、その静電潜像に現像剤を供給することにより形成される現像剤像を記録シートに転写することで、記録シートに所定の画像を形成している。このような画像形成装置としては、従来、感光ドラムに光を照射する複数のＬＥＤを有するＬＥＤヘッドと、ＬＥＤヘッドの長手方向（ＬＥＤの配列方向）の両端部を支持する一対の本体フレームとを備えたものが知られている（特許文献１参照）。
【０００３】
【特許文献１】特開昭６１−９５９５６号公報
【発明の開示】
【発明が解決しようとする課題】
【０００４】
ところで、従来技術においては、感光ドラムの軸方向における光の照射位置がずれないように、本体フレームに対してＬＥＤヘッドを長手方向において動かないように位置決めする必要があった。
【０００５】
そこで、本発明は、本体フレームに対して露光部材を長手方向において位置決めすることができる画像形成装置を提供することを目的とする。
【課題を解決するための手段】
【０００６】
前記課題を解決する本発明は、感光ドラムと、前記感光ドラムに対向配置され、長手方向に複数の発光部が配列されて前記感光ドラムを露光する露光部材と、前記露光部材の長手方向両側に配置された本体フレームとを備えた画像形成装置であって、前記本体フレームには、前記露光部材の長手方向における一端部と当接して前記露光部材の長手方向における位置決めを行う基準部が設けられるとともに、前記本体フレームまたは前記露光部材には、前記露光部材の一端部を前記基準部に引き寄せるように押圧する押圧部材が設けられていることを特徴とする。
【０００７】
本発明によれば、押圧部材によって露光部材の一端部が本体フレームの基準部に押圧されるので、一方の本体フレームに対して露光部材を長手方向において位置決めすることができる。
【発明の効果】
【０００８】
本発明によれば、押圧部材によって露光部材の一端部が本体フレームの基準部に押圧されるので、一方の本体フレームに対して露光部材を長手方向において位置決めすることができる。
【発明を実施するための最良の形態】
【０００９】
次に、本発明の実施形態について、適宜図面を参照しながら詳細に説明する。参照する図面において、図１は、画像形成装置の一例としてのカラープリンタの全体構成を示す断面図であり、図２は、図１のＬＥＤユニットおよびプロセスカートリッジの拡大図であり、図３の（ａ）は、ＬＥＤユニットの分解斜視図であり、（ｂ）は、ガイドローラの拡大斜視図であり、図４は、ＬＥＤユニットとサイドプレートの位置関係を示す側面図であり
、図５は、感光ドラムおよびＬＥＤユニットを後から見た図である。
【００１０】
ここで、以下の説明において、方向は、カラープリンタ使用時のユーザを基準にした方向で説明する。すなわち、図１において、紙面に向かって左側を「前側（手前側）」、紙面に向かって右側を「後側（奥側）」とし、紙面に向かって奥側を「左側」、紙面に向かって手前側を「右側」とする。また、紙面に向かって上下方向を「上下方向」とする。
【００１１】
図１に示すように、カラープリンタ１は、本体筐体１０内に、用紙Ｐを供給する給紙部２０と、給紙された用紙Ｐに画像を形成する画像形成部３０と、画像が形成された用紙Ｐを排出する排紙部９０とを備えている。
【００１２】
本体筐体１０の上部には本体筐体１０に対し相対的に開閉自在なアッパーカバー１２が、後側に設けられたヒンジ１２Ａを支点として上下に回動自在に設けられている。アッパーカバー１２の上面は、本体筐体１０から排出された用紙Ｐを蓄積する排紙トレイ１３となっており、下面には後述する露光部材の一例としてのＬＥＤユニット４０を保持する複数のＬＥＤ取付部材１４が設けられている。
【００１３】
また、本体筐体１０内には、後述する各プロセスカートリッジ５０を着脱自在に収容する装置本体の一部としての本体フレーム１５が設けられている。本体フレーム１５は、左右に一対設けられた金属製のサイドフレーム１５Ａ（片側のみ図示）と、一対のサイドフレーム１５Ａを連結するクロスメンバー１５Ｂが前後に一対設けられている。この本体フレーム１５は、本体筐体１０などに固定されている。サイドフレーム１５Ａは、後述するＬＥＤヘッド４１の発光部の配列方向（主方向といい、本実施形態では、感光ドラム５３の軸方向と同じである。）の両側に配置され、感光ドラム５３を直接的または間接的に支持し、位置決めする部材である。
【００１４】
給紙部２０は、本体筐体１０内の下部に設けられ、本体筐体１０に着脱自在に装着される給紙トレイ２１と、給紙トレイ２１から用紙Ｐを画像形成部３０へ搬送する用紙供給機構２２を主に備えている。用紙供給機構２２は、給紙トレイ２１の手前側に設けられ、給紙ローラ２３、分離ローラ２４および分離パッド２５を主に備えている。
【００１５】
このように構成される給紙部２０では、給紙トレイ２１内の用紙Ｐが、一枚ずつ分離されて上方へ送られ、紙粉取りローラ２６とピンチローラ２７の間を通過する過程で紙粉が除去された後、搬送経路２８を通って後ろ向きに方向転換され、画像形成部３０に供給される。
【００１６】
画像形成部３０は、露光部材の一例としての４つのＬＥＤユニット４０と、４つのプロセスカートリッジ５０と、転写ユニット７０と、定着ユニット８０とから主に構成されている。
【００１７】
プロセスカートリッジ５０は、アッパーカバー１２と給紙部２０との間で前後方向に並んで配置され、図２に示すように、ドラムユニット５１と、ドラムユニット５１に対して着脱自在に装着される現像ユニット６１とを備えている。プロセスカートリッジ５０は、サイドフレーム１５Ａに支持されており、プロセスカートリッジ５０には、感光ドラム５３が支持されている。なお、各プロセスカートリッジ５０は、現像ユニット６１のトナー収容室６６に収容されるトナーの色が相違するのみであり、構成は同一である。
【００１８】
ドラムユニット５１は、ドラムフレーム５２と、ドラムフレーム５２に回転可能に支持される感光体の一例としての感光ドラム５３と、スコロトロン型帯電器５４とを主に備えている。
【００１９】
現像ユニット６１は、現像フレーム６２と、現像フレーム６２に回転可能に支持される現像ローラ６３および供給ローラ６４と、層厚規制ブレード６５とを備え、トナーを収容するトナー収容室６６を有している。プロセスカートリッジ５０は、現像ユニット６１がドラムユニット５１に装着されることで現像フレーム６２とドラムフレーム５２との間に形成される露光穴５５を有しており、この露光穴５５の下方には、感光ドラム５３が配置されている。そして、この露光穴５５にＬＥＤユニット４０が挿入されることで、ＬＥＤユニット４０が感光ドラム５３に対向して配置されている。
【００２０】
図１に示すように、転写ユニット７０は、給紙部２０と各プロセスカートリッジ５０との間に設けられ、駆動ローラ７１、従動ローラ７２、搬送ベルト７３および転写ローラ７４を主に備えている。
【００２１】
駆動ローラ７１および従動ローラ７２は、前後方向に離間して平行に配置され、その間にエンドレスベルトからなる搬送ベルト７３が張設されている。搬送ベルト７３は、その外側の面が各感光ドラム５３に接している。また、搬送ベルト７３の内側には、各感光ドラム５３との間で搬送ベルト７３を挟持する転写ローラ７４が、各感光ドラム５３に対向して４つ配置されている。この転写ローラ７４には、転写時に定電流制御によって転写バイアスが印加される。
【００２２】
定着ユニット８０は、各プロセスカートリッジ５０および転写ユニット７０の奥側に配置され、加熱ローラ８１と、加熱ローラ８１と対向配置され加熱ローラ８１を押圧する加圧ローラ８２とを備えている。
【００２３】
このように構成される画像形成部３０では、まず、各感光ドラム５３の表面が、スコロトロン型帯電器５４により一様に帯電された後、各ＬＥＤユニット４０から照射されるＬＥＤ光により露光される。これにより、露光された部分の電位が下がって、各感光ドラム５３上に画像データに基づく静電潜像が形成される。
【００２４】
また、トナー収容室６６内のトナーが、供給ローラ６４の回転により現像ローラ６３に供給され、現像ローラ６３の回転により現像ローラ６３と層厚規制ブレード６５との間に進入して一定厚さの薄層として現像ローラ６３上に担持される。
【００２５】
現像ローラ６３上に担持されたトナーは、現像ローラ６３が感光ドラム５３に対向して接触するときに、感光ドラム５３上に形成された静電潜像に供給される。これにより、感光ドラム５３上でトナーが選択的に担持されて静電潜像が可視像化され、反転現像によりトナー像が形成される。
【００２６】
次に、搬送ベルト７３上に供給された用紙Ｐが各感光ドラム５３と搬送ベルト７３の内側に配置される各転写ローラ７４との間を通過することで、各感光ドラム５３上に形成されたトナー像が用紙Ｐ上に転写される。
そして、用紙Ｐが加熱ローラ８１と加圧ローラ８２との間を通過することで、用紙Ｐ上に転写されたトナー像が熱定着される。
【００２７】
排紙部９０は、定着ユニット８０の出口から上方に向かって延び、手前側に反転するように形成された排紙側搬送経路９１と、用紙Ｐを搬送する複数対の搬送ローラ９２を主に備えている。トナー像が転写され、熱定着された用紙Ｐは、搬送ローラ９２によって排紙側搬送経路９１を搬送され、本体筐体１０の外部に排出されて排紙トレイ１３に蓄積される。
【００２８】
＜ＬＥＤユニットの構成＞
次に、本発明の特徴部分であるＬＥＤユニット４０およびその接地のための構成について詳細に説明する。
図３に示すように、ＬＥＤユニット４０は、露光部材本体の一例としてのＬＥＤヘッド４１と、保持部材の一例としての露光器フレーム４２と、ローラ支持部材４３と、ガイドローラ４４と、樹脂カバー４５と、サスペンダ４８と、を備えてなる。
【００２９】
ＬＥＤヘッド４１は、下側にＬＥＤからなる複数の発光部が左右方向（ＬＥＤヘッド４１の長手方向）に一列配列されてなるものである。より具体的には、ＬＥＤヘッド４１は、所定の画素ピッチに応じて配列され、選択的に駆動されて感光ドラム５３の表面を露光する複数のＬＥＤ（発光素子）を支持体で支持したヘッド構造を有するものである。本明細書では、ＬＥＤヘッド４１の長手方向を主方向と称し、主方向およびＬＥＤの露光方向（図５の矢印Ｘ参照）に直交する方向、具体的には、感光ドラム５３が並ぶ方向である前後方向を副方向と称する。ＬＥＤヘッド４１の外装は、樹脂で形成されていて、スコロトロン型帯電器５４などの高圧部品からの放電が抑制されている。各発光部は、形成すべき画像のデータに基づいて、図示しない制御装置により信号が入力されて発光し、感光ドラム５３を露光する。
【００３０】
露光器フレーム４２は、ＬＥＤヘッド４１を支持するフレームである。露光器フレーム４２は、金属板を略コ字型断面にプレス加工してなり、導電性を有する。露光器フレーム４２は、感光ドラム５３の軸方向、つまり、左右方向にＬＥＤヘッド４１よりも長く形成されている。具体的には、露光器フレーム４２は、下板４２Ａと、側板４２Ｂと、上板４２Ｃとで、左右方向に延びるコ字型断面の部材を形成している。下板４２Ａの左右方向両端（以下、単に「両端」という。）には、端板４２Ｄが、下板４２Ａの端部の折り曲げにより形成されている。上板４２Ｃには、両端付近に、前側に開いた開口４２Ｅが形成されている。この開口４２Ｅの前側の開口端には、開口４２Ｅを狭めるように開口４２Ｅの左右方向内側に向けて延びる係合爪４２Ｆが形成されている。前記したＬＥＤヘッド４１は、その上面が露光器フレーム４２の下板４２Ａに密着し、２つのクリップ４１Ａにより露光器フレーム４２に取り付けられ、固定されている。
【００３１】
露光器フレーム４２の上板４２Ｃの右端には、ＬＥＤヘッド４１の右端部をサイドフレーム１５Ａ（詳しくは、後述する前方ガイド１６１の突当部１６１Ｂ；図５参照）に引き寄せるように付勢する押圧部材の一例としての板ばね１００が設けられている。板ばね１００は、導電性である金属板を略Ｌ字状に折り曲げて形成されており、第１壁１０１と第２壁１０２とを備えている。なお、このように露光器フレーム４２に板ばね１００が設けられることで、板ばね１００は、ＬＥＤユニット４０の露光位置への移動に伴って後述する突当部１６１Ｂに向かって上から下へ移動することで、ＬＥＤユニット４０の一端部（後述する主方向位置決め面４５Ｄ）を突当部１６１Ｂに押圧するように構成されている。
【００３２】
第１壁１０１は、平板状に形成されており、後述する樹脂カバー４５の貫通孔４５Ｂ（左側の樹脂カバー４５参照）に挿入可能な幅で形成されている。そして、この第１壁１０１は、樹脂カバー４５の貫通孔４５Ｂの外側から挿通されて露光器フレーム４２の上板４２Ｃの上面に固定される。
【００３３】
第２壁１０２は、図５に示すように、先端部１０３と、本体部１０４とを有している。
第２壁１０２の本体部１０４は、第１壁１０１が露光器フレーム４２に固定された状態において、下方に向かうにつれて徐々に露光器フレーム４２に近付くようにサイドフレーム１５Ａ（第１縦壁Ａ１）に対して傾斜している。また、第２壁１０２の先端部１０３は、下方に向かうにつれて露光器フレーム４２から離れるようにサイドフレーム１５Ａ（第１縦壁Ａ１）に対して傾斜している。そのため、ＬＥＤユニット４０を退避位置から露光
位置に移動させる際において、第２壁１０２の先端部１０３と後述するサイドフレーム１５Ａの第１縦壁Ａ１とが当接すると、この第１縦壁Ａ１によって第２壁１０２が外側に押し広げられるようになっている。
【００３４】
図３（ａ）に示すように、ローラ支持部材４３は、導電性の金属板をプレス加工してなるブラケットであり、露光器フレーム４２の両端の端板４２Ｄにネジ止めされている。ローラ支持部材４３は、下端に、左右方向内側に向けて延びるローラシャフト４３Ａが設けられている。ローラシャフト４３Ａは、ガイドローラ４４を回転可能に支持するシャフトであり、図３（ｂ）に示すように周方向に係合溝４３Ｂが形成されている。
【００３５】
ガイドローラ４４は、当接部の一例としての略円筒形状のローラであり、ＬＥＤヘッド４１と感光ドラム５３との間隔を保持する。すなわち、転がり面４４Ａが円筒形状に形成されている。転がり面４４Ａの中心軸には、ローラシャフト４３Ａと嵌合する軸孔４４Ｂが形成されている。ガイドローラ４４は、ローラシャフト４３Ａに軸孔４４Ｂが挿通され、さらにワッシャ４４Ｃが挿入された上で、クリップ４４Ｄを係合溝４３Ｂに係合させることで、ローラシャフト４３Ａに取り付けられている。つまり、ローラシャフト４３Ａの伸びる方向は、ガイドローラ４４の回転軸方向と一致している。
【００３６】
ガイドローラ４４は、図２に示すように、感光ドラム５３の周面５３Ａに接して転がることで、ＬＥＤユニット４０と感光ドラム５３の位置関係を規定、具体的にはＬＥＤヘッド４１の発光部と周面５３Ａの間隔を規定するものである。ガイドローラ４４を構成する材料は特に問わないが、周面５３Ａとの間で適度な摩擦係数を有し、耐摩耗性に優れた材料を使用するのがよい。例えば、ポリアミド系の樹脂を用いることができる。
ガイドローラ４４は、画像形成に影響を与えないようにするため、感光ドラム５３の周面５３Ａのうち、トナーが供給される画像形成範囲（図５において符号Ｗで示す）の外側に配置されている。
【００３７】
図３（ａ）に示すように、樹脂カバー４５は、露光器フレーム４２の両端の金属部分を覆う部材である。左右に計２つ設けられる各樹脂カバー４５は、互いに左右対称に形成されている。樹脂カバー４５は、絶縁性の樹脂部材からなり、露光器フレーム４２の両端面と、両端から所定範囲の部分を覆うように形成されている。樹脂カバー４５の左右方向の外側の端部には、上下方向に延びるガイドリブ４５Ａが突出して形成されている。ガイドリブ４５Ａの上端は、左右端側から見て略三角形の輪郭を有し、この三角形部分の内側に貫通孔４５Ｂが形成されている。そして、右側に配置される樹脂カバー４５の貫通孔４５Ｂ（図示せず）には、前述した板ばね１００の第１壁１０１が挿入される。
【００３８】
ガイドリブ４５Ａの左右方向外側の面は、主方向位置決め面４５Ｄである。主方向位置決め面４５Ｄは、主方向においてサイドフレーム１５Ａと当接してＬＥＤユニット４０を主方向に位置決めするためのものである。ガイドリブ４５Ａの前面は、副方向位置決め面４５Ｅである。副方向位置決め面４５Ｅは、副方向においてサイドフレーム１５Ａと当接してＬＥＤユニット４０を副方向に位置決めするためのものである。
【００３９】
サスペンダ４８は、露光器フレーム４２およびＬＥＤヘッド４１を吊り下げ状態に支持する部材である。サスペンダ４８は、左右方向の長さが露光器フレーム４２と同等に形成され、２つの開口４２Ｅに対応した２カ所に係合部材４８Ａが設けられている。係合部材４８Ａは、それぞれ、下から見て左右方向外側に開口したコ字断面の部分が形成されており、このコ字断面の開口４８Ｂが、前記した係合爪４２Ｆと遊びを有しながら係合するようになっている。
【００４０】
各係合部材４８Ａと露光器フレーム４２の間には、第１付勢部材の一例としての圧縮バ
ネ４９がそれぞれ配置されている。圧縮バネ４９は、２つのガイドローラ４４よりは、左右方向内側（露光部材の長手方向における内側）に配置されている。係合部材４８Ａと露光器フレーム４２の開口４２Ｅおよび係合爪４２Ｆが遊びを有しながら係合された後、図示しない抜け止め部材により係止されると、露光器フレーム４２およびＬＥＤヘッド４１は、圧縮バネ４９により常時感光ドラム５３へ向けて付勢されるようになる。
【００４１】
このようなＬＥＤユニット４０は、図２に示すように、接続リンク１４ＡおよびＬＥＤ取付部材１４を介してアッパーカバー１２に取り付けられる。接続リンク１４Ａは、ＬＥＤ取付部材１４との接続部分および各ＬＥＤユニット４０との接続部分において、図２の側面視において回動可能であり、これにより、ＬＥＤユニット４０の姿勢を自由に変えることができる。そのため、サイドフレーム１５ＡにＬＥＤユニット４０を係合させるのが容易になっている。
【００４２】
各ＬＥＤユニット４０は、アッパーカバー１２に取り付けられた状態において、アッパーカバー１２から下方に延びている。アッパーカバー１２は、上述したように後側のヒンジ１２Ａを中心に回動して開閉可能であるので、感光ドラム５３とＬＥＤユニット４０は、互いに近接した露光位置と、互いに離れた退避位置とに相対移動可能である。ＬＥＤユニット４０は、露光位置において、下端に設けられたガイドローラ４４が感光ドラム５３の周面５３Ａの上端付近に当接しており、これにより、周面５３ＡとＬＥＤヘッド４１との距離が一定に保たれるようになっている。
【００４３】
図４に示すように、サイドフレーム１５Ａは、４つのＬＥＤユニット４０が装着される箇所のＬＥＤユニット４０の両端部に対応して、前方ガイド１６１および後方ガイド１６２を有している。前方ガイド１６１は、副方向位置決め面４５Ｅの前方に配置され、後方ガイド１６２は、副方向位置決め面４５Ｅの後方に配置されている。
【００４４】
前方ガイド１６１には、略上下方向に延びるリブ１６１Ａが左右方向内側に向けて突出して形成されている。リブ１６１Ａは、ＬＥＤユニット４０の装着時にガイドリブ４５Ａの前側に位置する。リブ１６１Ａの上下両端部は、中央部よりも前後方向に厚い円柱形状となった円柱部１６１Ｃとなっている。円柱部１６１Ｃは、副方向位置決め面４５Ｅと当接して、ＬＥＤユニット４０を副方向に位置決めする部分となる。また、前方ガイド１６１の後側の縁には、リブ１６１Ａに沿って基準部の一例としての突当部１６１Ｂが設けられている。突当部１６１Ｂは、ＬＥＤユニット４０の主方向位置決め面４５Ｄが当接し得る面となり、右側の突当部１６１ＢはＬＥＤユニット４０の一端側に当接してＬＥＤユニット４０の左右方向の位置を規制するようになっている（図５参照）。そして、突当部１６１Ｂと主方向位置決め面４５Ｄは、互いに摺動可能となるように、所定の平滑度でそれぞれ形成されている。なお、突当部１６１Ｂと主方向位置決め面４５Ｄとは面接触でもよいし、点接触でもよい。
【００４５】
後方ガイド１６２には、下から上へ延びるアーム１６２Ａが設けられている。アーム１６２Ａは、サイドフレーム１５Ａの金属板に回動軸１６２Ｂにおいて回動可能に支持されている。回動軸１６２Ｂの周りにはトーションバネ１６２Ｃが設けられており、このトーションバネ１６２Ｃによって、アーム１６２Ａに、常時、図４における反時計回りに付勢力が与えられている。
【００４６】
前方ガイド１６１および後方ガイド１６２は、ともに樹脂からなり、これにより、ＬＥＤユニット４０との摺接による摩耗が抑制されている。
【００４７】
また、図５に示すように、右側のサイドフレーム１５Ａは、前方ガイド１６１が固定される第１縦壁Ａ１と、第１縦壁Ａ１の上端から右方に折り曲げられた横壁Ａ２と、横壁Ａ
２の右端から上方に折り曲げられた第２縦壁Ａ３とを備えて構成されている。横壁Ａ２には、板ばね１００の第２壁１０２を前方ガイド１６１の突当部１６１Ｂ付近のサイドフレーム１５Ａに係合させるための貫通孔１５Ｃが形成されている。そのため、この貫通孔１５Ｃに板ばね１００の第２壁１０２を挿入してサイドフレーム１５Ａの第１縦壁Ａ１に係合させると、板ばね１００の第２壁１０２がサイドフレーム１５ＡをＬＥＤユニット４０に向けて付勢することによって、ＬＥＤユニット４０の右端部（主方向位置決め面４５Ｄ）が前方ガイド１６１の突当部１６１Ｂに引き寄せられて当接する。すなわち、板ばね１００の第２壁１０２は、サイドフレーム１５Ａおよび前方ガイド１６１の突当部１６１Ｂを、ＬＥＤユニット４０の右端部との間で左右に挟み込んでいる。なお、この際、ＬＥＤユニット４０の左端部と、左側のサイドフレーム１５Ａの前方ガイド１６１の突当部１６１Ｂとの間には、所定の隙間が形成されるようになっている。
【００４８】
また、左側のサイドフレーム１５Ａは、前方ガイド１６１が固定される縦壁Ａ４と、縦壁Ａ４の下端から右方に折り曲げられた台座壁Ａ５とを備えて構成されている。そして、この台座壁Ａ５と、ＬＥＤユニット４０の露光器フレーム４２との間には、ＬＥＤユニット４０を感光ドラム５３から離れる方向へ付勢する第２付勢部材の一例としてのコイルばね２００が設けられている。コイルばね２００は、金属などの導電性を有する部材で形成されている。そして、各サイドフレーム１５Ａは、電気的に接地されている。また、コイルばね２００の下端は台座部Ａ５に固定されている。
【００４９】
以上のように構成されたカラープリンタ１の作用効果について説明する。
図１に示すように、カラープリンタ１のプロセスカートリッジ５０を交換またはメンテナンスするときには、まずアッパーカバー１２を上に回動させて開き、ＬＥＤユニット４０を露光位置から退避位置に移動させる。
【００５０】
本実施形態のカラープリンタ１においては、このようにＬＥＤユニット４０が感光ドラム５３に対して露光位置と退避位置との間を移動可能であるので、ＬＥＤユニット４０の感光ドラム５３に対する位置決めの必要がある。
【００５１】
メンテナンスが終わったら、アッパーカバー１２を下げて閉じる。このとき、ＬＥＤユニット４０の先端（下端）にあるガイドローラ４４は、図２に示すように感光ドラム５３の周面５３Ａに当接する。これにより、周面５３ＡとＬＥＤヘッド４１の発光部との距離は一定に保たれる。
【００５２】
このとき、図４に示すように、ガイドリブ４５Ａは、前方ガイド１６１のリブ１６１Ａと後方ガイド１６２のアーム１６２Ａの間に挿入される。アーム１６２Ａは、トーションバネ１６２Ｃにより前方向に付勢されているので、ガイドリブ４５Ａを前方に付勢する。これにより、ガイドリブ４５Ａの副方向位置決め面４５Ｅは、リブ１６１Ａの両端の円柱部１６１Ｃに当接して、ＬＥＤユニット４０は、副方向に位置決めされる。
【００５３】
また、このとき、図５に示すように、ＬＥＤユニット４０に設けられている板ばね１００の第２壁１０２は、右側のサイドフレーム１５Ａの貫通孔１５Ｃを通るとともに、その先端部が右側に撓んだ状態で第１縦壁Ａ１の外面に係合する。これにより、板ばね１００の第２壁１０２の付勢力によって、ＬＥＤユニット４０の右側の主方向位置決め面４５Ｄが右側に引き寄せられて前方ガイド１６１の突当部１６１Ｂに当接し、ＬＥＤユニット４０が主方向に位置決めされる。
【００５４】
そして、上述のような主方向の位置決めにおいて、露光器フレーム４２は、板ばね１００およびサイドフレーム１５Ａを介して電気的に接地されるとともに、コイルばね２００およびサイドフレーム１５Ａを介して電気的に接地される。
【００５５】
以上によれば、本実施形態において以下のような効果を得ることができる。
板ばね１００によって、ＬＥＤユニット４０の右側の主方向位置決め面４５Ｄが右側のサイドフレーム１５Ａに設けられる前方ガイド１６１の突当部１６１Ｂに引き寄せられるように付勢されるので、右側のサイドフレーム１５Ａに対してＬＥＤユニット４０を主方向において位置決めすることができる。さらに、ＬＥＤユニット４０の一端側のみに板ばね１００を設けたので、例えばＬＥＤユニットの両端側に付勢力の異なるコイルばねを１つずつ設けて付勢力の大きい方のコイルばねでＬＥＤユニットをサイドフレームに押圧する構造に比べ、サイドフレームの歪みを抑制することができる。
【００５６】
ＬＥＤユニット４０をサイドフレーム１５Ａの突当部１６１Ｂに押圧する押圧部材として弾性を有する板ばね１００を利用することで、簡易な構造で位置決めを行うことができるので、コストダウンを図ることができる。
【００５７】
前方ガイド１６１の突当部１６１ＢとＬＥＤユニット４０の主方向位置決め面４５Ｄとが摺動可能となっているので、感光ドラム５３が製造誤差の範囲で多少楕円状に形成されている場合であっても、ＬＥＤユニット４０を上下方向にスムーズに移動させて、ガイドローラ４４を感光ドラム５３の周面５３Ａに確実に接触させ続けることができる。そのため、ＬＥＤヘッド４１と感光ドラム５３との距離を確実に一定に保つことができる。
【００５８】
露光器フレーム４２が、板ばね１００、コイルばね２００およびサイドフレーム１５Ａを介して電気的に接地されるので、本実施形態のように外装が樹脂により形成されているＬＥＤヘッド４１を用いる場合でも、ＬＥＤヘッド４１の上面に密着した金属製の露光器フレーム４２を介して接地することができる。これにより、ＬＥＤヘッド４１の表面に生じた電荷を十分に除去することができる。また、ＬＥＤヘッド４１に大きな電流が流れて電磁波が発生しても、露光器フレーム４２は、ＬＥＤヘッド４１より左右方向に大きく形成され、ＬＥＤヘッド４１の左右方向両側には、金属製のサイドフレーム１５Ａが設けられているので、これらの部材に電磁波が十分に吸収され、他の機器に電磁波の影響を与えることを抑制することができる。特に、本実施形態においては、左右両側において、上述の構成が採用されているので、接地と電磁波の吸収を十分に行うことができる。また、本実施形態においては、板ばね１００を主方向の位置決めに用いているので、ＬＥＤヘッド４１の位置決めと、ＬＥＤヘッド４１の接地および電磁波の遮断を同時に行うことができる。さらに、ＬＥＤヘッド４１を樹脂製の外装とすることで、ＬＥＤヘッド４１を小型化し、感光ドラム５３周りのレイアウトの自由度が高まり、カラープリンタ１の小型化を図ることができる。
【００５９】
以上に、本発明の実施形態について説明したが、本発明は前記した実施形態に限定されるものではない。具体的な構成については、本発明の趣旨を逸脱しない範囲で適宜変更が可能である。
【００６０】
前記実施形態では、押圧部材としての板ばね１００をＬＥＤユニット４０に設けたが、本発明はこれに限定されるものではない。例えば、図６や図７に示すように、右側のサイドフレーム１５Ａに板ばね１１０を設けてもよい。なお、図６および図７において、前記実施形態と同様の構成要素については同一の符号を付し、その説明は省略する。また、左側のサイドフレーム１５Ａの図示は省略するが、前記実施形態（図５）と同様に、左側のサイドフレーム１５Ａには板ばね１１０は設けられておらず、また、左側のサイドフレーム１５ＡとＬＥＤユニット４００との間には空隙が形成されている。
【００６１】
具体的に、図６に示す板ばね１１０は、前記実施形態に係る板ばね１００を上下逆にしたような構造となっており、前記実施形態と略同様の第１壁１１１、第２壁１１２および
先端部１１３を備える他、第１壁１１１をサイドフレーム１５Ａに固定するための固定部１１４を備えている。そして、板ばね１１０をサイドフレーム１５Ａの内面に固定すると、板ばね１１０の先端部１１３が、サイドフレーム１５Ａに固定される前方ガイド１６１の突当部１６１Ｂの左右方向内側に配設されるようになっている。
【００６２】
また、この構造において、ＬＥＤユニット４００は、前記実施形態に係るＬＥＤユニット４０とは異なる樹脂カバー４５０を有している。具体的に、樹脂カバー４５０には、その下面に下方へ開口する凹部４５１が形成されており、これにより、樹脂カバー４５０の左右方向外側に下方へ突出する突出壁４５２が形成されている。
【００６３】
そして、突出壁４５２は、露光位置において、前方ガイド１６１の突当部１６１Ｂと板ばね１１０の先端部１１３との間で挟み込まれることで、その外面が突当部１６１Ｂと当接するようになっている。これにより、ＬＥＤユニット４００を主方向において位置決めすることができる。
【００６４】
また、図７に示すように、板ばね１１０をサイドフレーム１５Ａの外面に固定してもよい。この場合、前述した樹脂カバー４５０の突出壁４５２を、板ばね１１０の先端部１１３とサイドフレーム１５Ａの外面との間で挟み込むことで、突出壁４５２が板ばね１１０で付勢されてサイドフレーム１５Ａの外面と当接する。すなわち、この形態において、基準部は、サイドフレーム１５Ａの外面となっている。これにより、ＬＥＤユニット４００を主方向において位置決めすることができる。
【００６５】
前記実施形態では、押圧部材として、板ばね１００を採用したが、本発明はこれに限定されず、例えばトーションばねなどであってもよい。また、第１付勢部材や第２付勢部材として、皿ばねや板ばねなどを採用してもよい。
【００６６】
前記実施形態では、押圧部材として弾性（可撓性）を有する板ばね１００を採用したが、本発明はこれに限定されるものではない。
【００６７】
前記実施形態では、複数の発光部として、ＬＥＤを複数有する形態を例示したが、この複数の発光部を形成するには、ＬＥＤのような発光素子は一つでもよい。例えば、蛍光灯などのバックライトを一つ用意し、バックライトの外側に、左右方向に一列に並んだ液晶またはＰＬＺＴ素子の光学シャッタを設けてもよい。つまり、１つの発光素子と一列の光学シャッタを合わせることで一列に並んだ複数の発光部を形成することができる。また、発光部は、左右方向に一列に並べる構成ではなく、複数列並べる構成としてもよい。さらに、発光素子は、ＬＥＤに限らず、ＥＬ（エレクトロ・ルミネッセンス）素子や蛍光体などであってもよい。
【００６８】
感光ドラム５３の両側に配置されるサイドフレーム１５Ａ（本体フレーム１５）は、カラープリンタ１の骨組みそのものでも構わないし、複数のプロセスカートリッジ５０をひとまとめにしてカラープリンタ１から着脱する引き出しのフレームであっても構わない。
【００６９】
前記実施形態では、カラープリンタ１に本発明を適用したが、本発明はこれに限定されず、その他の画像形成装置、例えば複写機や複合機などに本発明を適用してもよい。
前記実施形態では、感光体として感光ドラム５３を採用したが、本発明はこれに限定されず、例えばベルト状の感光体を採用してもよい。
【図面の簡単な説明】
【００７０】
【図１】画像形成装置の一例としてのカラープリンタの全体構成を示す断面図である。
【図２】図１のＬＥＤユニットおよびプロセスカートリッジの拡大図である。
【図３】（ａ）は、ＬＥＤユニットの分解斜視図であり、（ｂ）は、ガイドローラの拡大斜視図である。
【図４】ＬＥＤユニットとサイドプレートの位置関係を示す側面図である。
【図５】感光ドラムおよびＬＥＤユニットを後から見た図である。
【図６】板ばねをサイドフレームの内面に設けた変形例を示す図である。
【図７】板ばねをサイドフレームの外面に設けた変形例を示す図である。
【符号の説明】
【００７１】
１      カラープリンタ
１５    本体フレーム
１５Ａ  サイドフレーム
４０    ＬＥＤユニット
４１    ＬＥＤヘッド
４２    露光器フレーム
４５    樹脂カバー
４５Ｄ  主方向位置決め面
４９    圧縮バネ
５３    感光ドラム
１０１  第１壁
１０２  第２壁
１０３  先端部
１６１  前方ガイド
１６１Ｂ  突当部
【図１】
2011016364.tif 000003
【図２】
2011016364.tif 000004
【図３】
2011016364.tif 000005
【図４】
2011016364.tif 000006
【図５】
2011016364.tif 000007
【図６】
2011016364.tif 000008
【図７】
2011016364.tif 000009